(57)【要約】【課題】出射される光の直進性が向上したバックライトユニット及びそれを備えた表示パネルを提供する。【解決手段】表示装置は表示パネルとバックライトユニットを含む。前記表示パネルは３次元モードで連続するフレーム区間の間に左眼映像と右眼映像を交互に表示する。前記バックライトユニットは複数個の発光ブロックを含む光源と導光体を含む。前記導光体は第１面に形成された複数個のレンチキュラーパターンと、第２面に形成された複数個の光ガイドパターンを含む。前記複数個のレンチキュラーパターンと前記複数個の光ガイドパターンは各々第１方向に延長され、前記第１方向と交差する第２方向に配列される。【選択図】図１
2014063722.tif 000002
【特許請求の範囲】
【請求項１】
複数個の発光ブロックを含む光源と、
第１面、前記第１面に対向する第２面、及び前記第１面と前記第２面を連結する複数個の連結面を含み、前記複数個の連結面の中で少なくとも１つの連結面は前記光源に対向し、前記光源から受信された光をガイドする導光体と、を含み、
前記導光体の前記第１面は第１方向に延長され、前記第１方向と交差する第２方向に配列された複数個の第１レンチキュラーパターンを含み、
前記第２面は前記第１方向に延長され、前記第２方向に配列された複数個の第２レンチキュラーパターンを含むことを特徴とするバックライトユニット。
【請求項２】
前記複数個の第１レンチキュラーパターンは第１幅を有し、前記複数個の第２レンチキュラーパターンは前記第１幅と異なる第２幅を有することを特徴とする請求項１に記載のバックライトユニット。
【請求項３】
前記複数個の第１レンチキュラーパターンは第１高さを有し、前記複数個の第２レンチキュラーパターンは前記第１高さと異なる第２高さを有することを特徴とする請求項２に記載のバックライトユニット。
【請求項４】
前記複数個の第２レンチキュラーパターンの断面上での外殻線の各々は楕円の一部をなすことを特徴とする請求項１に記載のバックライトユニット。
【請求項５】
前記複数個の第２レンチキュラーパターンの中で一部の第２レンチキュラーパターンの幅とその他の一部の第２レンチキュラーパターンの幅は互いに異なることを特徴とする請求項４に記載のバックライトユニット。
【請求項６】
前記複数個の第２レンチキュラーパターンの中で一部の第２レンチキュラーパターンの高さとその他の一部の第２レンチキュラーパターンの高さは互いに異なることを特徴とする請求項４に記載のバックライトユニット。
【請求項７】
前記複数個の第１レンチキュラーパターンと前記複数個の第２レンチキュラーパターンの各々は前記導光体の前記第１方向の長さと同一である長さを有することを特徴とする請求項１に記載のバックライトユニット。
【請求項８】
前記複数個の第２レンチキュラーパターンの中で少なくとも一部の第２レンチキュラーパターンは前記受信された光を前記第１面へ出射させる出光パターンを含むことを特徴とする請求項１に記載のバックライトユニット。
【請求項９】
前記複数個の第２レンチキュラーパターンは前記第２方向に互いに離隔されて配置されたことを特徴とする請求項１に記載のバックライトユニット。
【請求項１０】
複数個の発光ブロックを含む光源と、
第１面、前記第１面に対向する第２面、及び前記第１面と前記第２面を連結する複数個の連結面を具備し、前記複数個の連結面の中で少なくとも１つの連結面は前記光源に対向し、前記光源から受信された光をガイドする導光体と、を含み、
前記導光体の前記第１面は第１方向に延長され、前記第１方向と交差する第２方向に配列された複数個のレンチキュラーパターンを含み、
前記第２面は前記第１方向に延長され、前記第２方向に配列され、前記第２面から陥没した複数個の光ガイドパターンを含むことを特徴とするバックライトユニット。
【請求項１１】
前記複数個の光ガイドパターンの各々はプリズム形状であることを特徴とする請求項１０に記載のバックライトユニット。
【請求項１２】
前記複数個の光ガイドパターンの中で一部の光ガイドパターンの深さとその他の一部の光ガイドパターンの深さは互いに異なることを特徴とする請求項１１に記載のバックライトユニット。
【請求項１３】
前記複数個の光ガイドパターンは前記第２方向に互いに離隔されて配置されたことを特徴とする請求項１０に記載のバックライトユニット。
【請求項１４】
前記第２面は前記複数個の光ガイドパターンの間に配置された平面部をさらに含み、
前記平面部は前記受信された光を前記第１面へ出射させる出光パターンを含むことを特徴とする請求項１３に記載のバックライトユニット。
【請求項１５】
前記出光パターンは陰刻であることを特徴とする請求項１４に記載のバックライトユニット。
【請求項１６】
複数個の発光ブロックを含む光源と、
第１面、前記第１面に対向する第２面、及び前記第１面と前記第２面を連結する複数個の連結面を具備し、前記複数個の連結面の中で少なくとも１つの連結面は前記光源に対向し、前記光源から受信された光をガイドする導光体と、
前記導光体から前記ガイドされた光を受信し、３次元モードにおいて、連続するフレーム区間の間に左眼映像と右眼映像を交互に表示する表示パネルと、を含み、
前記導光体の前記第１面は第１方向に延長され、前記第１方向と交差する第２方向に配列された複数個のレンチキュラーパターンを含み、
前記第２面は前記第１方向に延長され、前記第２方向に配列された複数個の光ガイドパターンを含むことを特徴とする表示装置。
【請求項１７】
前記複数個の発光ブロックは前記何れか１つの連結面に従って前記第２方向に配列されたことを特徴とする請求項１６に記載の表示装置。
【請求項１８】
前記複数個の発光ブロックは各々の前記フレーム区間の間に順次的にターンオンされ、
前記複数個の発光ブロックの中で第ｉ（ここで、ｉは２以上の整数）番目の発光ブロックは第（ｉ−１）番目の発光ブロックがターンオフされる時、ターンオンされることを特徴とする請求項１７に記載の表示装置。
【請求項１９】
前記複数個の光ガイドパターンの各々は曲面をなすレンチキュラーパターンであることを特徴とする請求項１６に記載の表示装置。
【請求項２０】
前記複数個の光ガイドパターンの各々は前記第２面の一部分が除去されて定義されたプリズムパターンであることを特徴とする請求項１６に記載の表示装置。
【発明の詳細な説明】
【技術分野】
【０００１】
本発明はバックライトユニット及びこれを含む表示装置に係り、特にエッジ形バックライトユニット及びこれを含む表示装置に関する。
【背景技術】
【０００２】
表示装置は透過型、半透過形、又は反射型等に区分される。前記透過型及び半透過形表示装置は映像を表示する表示パネル及び前記表示パネルへ光を供給するバックライトユニットを含む。
【０００３】
前記バックライトユニットは光を生成する光源と前記光源から受信した光を前記表示パネル方向にガイドする導光体を具備する。前記導光体に対する前記光源の配置に従って前記バックライトユニットはエッジ形と直下形とに区分される。
前記光源は複数個の発光ブロックを含む。前記複数個の発光ブロックの各々は少なくとも１つの発光素子を含む。
【先行技術文献】
【特許文献】
【０００４】
【特許文献１】韓国特許公開第１０−２００７−００４０００９号公報
【発明の概要】
【発明が解決しようとする課題】
【０００５】
本発明は出射される光の直進性が向上したバックライトユニットを提供することを１つの目的とする。
また、本発明はクロストークが減少した表示装置を提供することを他の１つの目的とする。
【課題を解決するための手段】
【０００６】
本発明の一実施形態によるバックライトユニットは光源と導光体を含む。前記光源は複数個の発光ブロックを含む。前記導光体は前記光源から受信された光をガイドする。前記導光体は第１面、前記第１面に対向する第２面、及び前記第１面と前記第２面を連結する複数個の連結面を含み、前記複数個の連結面の中で少なくとも１つの連結面は前記光源に対向する。
【０００７】
さらに、前記導光体の前記第１面は第１方向に延長され、前記第１方向と交差する第２方向に配列された複数個の第１レンチキュラーパターンを含む。前記第２面は前記第１方向に延長され、前記第２方向に配列された複数個の光ガイドパターンを含む。ここで、前記複数個の光ガイドパターンは複数個の第２レンチキュラーパターンからなる。
【０００８】
また、本発明の他の実施形態によるバックライトユニットでは、前記本発明の一実施形態によるバックライトユニットにおける前記複数個の光ガイドパターンが、前記第２面の一部分が除去されて形成された複数個の光ガイドパターンである。
前記複数個の光ガイドパターンの各々はプリズム形状であり得る。
【０００９】
本発明のさらに他の実施形態による表示装置は、複数個の発光ブロックを含む光源、第１面、前記第１面に対向する第２面、及び前記第１面と前記第２面を連結する複数個の連結面を具備し、前記複数個の連結面の中で少なくとも１つの連結面は前記光源に対向し、前記光源から受信された光をガイドする導光体、及び表示パネルを含む。前記表示パネルは前記導光体から前記ガイドされた光を受信する。前記表示パネルは３次元モードにおいて、連続するフレーム区間の間に左眼映像と右眼映像とを交互に表示する。
ここで、前記導光体の前記第１面は第１方向に延長され、前記第１方向と交差する第２方向に配列された複数個のレンチキュラーパターンを含み、
前記第２面は前記第１方向に延長され、前記第２方向に配列された複数個の光ガイドパターンを含む。
【発明の効果】
【００１０】
上述したことによれば、入光面から入射された光は前記入光面に対向する対光面へ進行する。前記入射された光が前記対光面へ進行する間に、一部の光は前記複数個の光ガイドパターンによって反射される。前記光ガイドパターンの各々は曲面をなすレンチキュラーパターンであるか、或いは、前記第２面の一部分が除去されて定義されたプリズムパターンである。
【００１１】
前記複数個の光ガイドパターンは前記入射された光の拡散を防止する。前記導光体は前記第２方向に羅列された複数個の発光領域に区分される。前記複数個の発光ブロックは前記複数個の発光領域に各々光を提供する。何れか１つの発光ブロックから何れか１つの発光領域に提供された光は前記対光面に向かって進行する。
【００１２】
前記何れか１つの発光領域を進行する光の中で一部の光が異なる発光領域に拡散される。この時、前記拡散される光は前記複数個の光ガイドパターンによって反射される。前記拡散される光は再び前記何れか１つの発光領域に集中される。前記何れか１つの発光領域に光が集中されるので、前記何れか１つの発光領域を進行する光の直進性が向上する。
【００１３】
前記何れか１つの発光領域を進行する光は前記第２面に配置された出光パターンによって前記第１面へ出射され得る。前記何れか１つの発光領域から前記出射される光の直進性は前記何れか１つの発光領域を進行する光の直進性に従う。
【００１４】
前記複数個の発光ブロックが順次的にターンオンされ、順次的にターンオフされる。前記表示パネルの複数個の表示領域は前記複数個の発光領域から互いに異なる時間に光を受信する。例えば、右眼映像で左眼映像に変更される間に前記バックライトユニットは前記複数表示領域の中で前記左眼映像が表示される表示領域のみに光を提供する。直進性が向上した光を提供するバックライトユニットを含む表示装置では、右眼映像と左眼映像が同時に表示されるクロストークが減少する。
【図面の簡単な説明】
【００１５】
【図１】本発明の一実施形態によるバックライトユニットの斜視図である。
【図２】図１に示したバックライトユニットの一部分を示した図面である。
【図３】図１に示したバックライトユニットの一部分を示した図面である。
【図４】図１に示したバックライトユニットの一部分を示した図面である。
【図５】（Ａ）は導光体へ入射された光の直進性を説明するための図面であり、（Ｂ）は導光体へ入射された光の直進性を説明するための図面である。
【図６】（Ａ）は比較対象バックライトユニットへ入射された光の進行経路を示し、（Ｂ）は本発明の一実施形態によるバックライトユニットへ入射された光の進行経路を示す。
【図７】比較対象バックライトユニットと本発明の一実施形態によるバックライトユニットへ入射された光の直進性を比較して示したグラフである。
【図８】本発明の一実施形態によるバックライトユニットの一部分を示した図面である。
【図９】本発明の一実施形態によるバックライトユニットの一部分を示した図面である。
【図１０】本発明の一実施形態によるバックライトユニットの一部分を示した図面である。
【図１１】本発明の一実施形態によるバックライトユニットの一部分を示した図面である。
【図１２】本発明の一実施形態によるバックライトユニットの一部分を示した図面である。
【図１３】本発明の一実施形態による導光体を製造する製造装置の斜視図である。
【図１４】本発明の一実施形態による表示装置の分解斜視図である。
【図１５】本発明の一実施形態による表示装置のブロック図である。
【図１６】本発明の一実施形態による表示装置で表示される左眼映像を示した図面である。
【図１７】左眼映像が表示される時、表示装置の動作を示すタイミング図である。
【図１８】本発明の一実施形態によるバックライトユニットの斜視図である。
【図１９】図１８に示したバックライトユニットの一部分を示した図面である。
【図２０】図１８に示したバックライトユニットの一部を拡大して示した図面である。
【図２１】（Ａ）は比較対象バックライトユニットと本発明の一実施形態によるバックライトユニットの光度を示し、（Ｂ）は比較対象バックライトユニットと本発明の一実施形態によるバックライトユニットの光度を示す。
【図２２】比較対象バックライトユニットと本発明の一実施形態によるバックライトユニットの光度を比較したグラフである。
【図２３】（Ａ）は比較対象バックライトユニットと本発明の一実施形態によるバックライトユニットへ入射された光の進行経路を示し、（Ｂ）は比較対象バックライトユニットと本発明の一実施形態によるバックライトユニットへ入射された光の進行経路を示す。
【図２４】比較対象バックライトユニットと本発明の一実施形態によるバックライトユニットへ入射された光の直進性を比較して示したグラフである。
【発明を実施するための形態】
【００１６】
以下、添付した図面を参照して本発明の望ましい実施形態をより詳細に説明する。
本発明は多様な変更を加えることができ、様々な形態を有することができるので、特定の実施形態を図面に例示し、本文で詳細に説明する。しかし、これは本発明をその特定の開示形態に限定せず、本発明の思想及び技術範囲に含まれる全て変更物、均等物、乃至代替物を含むと理解されなければならない。
【００１７】
各図面の説明に際しては、類似な参照符号を類似な構成要素に対して使用した。添付した図面において、構造物の寸法は本発明の説明を明確にするために実際より拡大して示してある。
【００１８】
図１は本発明の一実施形態によるバックライトユニットの斜視図である。図２乃至図４は図１に示したバックライトユニットの一部分を示した図面である。図２は前記バックライトユニットの平面図を、図３は前記バックライトユニットの一側面図を、図４は図２の一部を拡大した図面を示す。
【００１９】
図１に示したように、バックライトユニットＢＬＵは光を出射する光源ＬＳ及び光源ＬＳから光を受信し、受信された光をガイドする導光体ＬＧを含む。
【００２０】
図１、図２に示したように、光源ＬＳは複数個の発光ブロックＬＢ１乃至ＬＢ６を含む。図１及び図２には６つの発光ブロックＬＢ１乃至ＬＢ６を含む光源ＬＳを例示的に示した。
【００２１】
複数個の発光ブロックＬＢ１乃至ＬＢ６は導光体ＬＧの互いに異なる領域へ光を各々提供する。複数個の発光ブロックＬＢ１乃至ＬＢ６は導光体ＬＧの一面に対向し、一列に配列される。複数個の発光ブロックＬＢ１乃至ＬＢ６の各々は複数個の発光素子を包含できる。前記複数個の発光素子は各々発光ダイオードであり得る。
【００２２】
光源ＬＳは図示しない回路基板をさらに包含できる。複数個の発光ブロックＬＢ１乃至ＬＢ６は前記回路基板に実装される。即ち、複数個の発光ブロックＬＢ１乃至ＬＢ６の各々に含まれた前記複数個の発光素子が前記回路基板に実装される。複数個の発光ブロックＬＢ１乃至ＬＢ６のオン／オフを制御する制御信号は前記回路基板に具備された信号配線へ印加される。その他に前記回路基板には複数個の発光ブロックＬＢ１乃至ＬＢ６を制御する能動素子がさらに実装される。
【００２３】
導光体ＬＧは第１面ＵＳ、第２面ＤＳ、及び第１面ＵＳと第２面ＤＳを連結する複数個の連結面ＣＳ１乃至ＣＳ４を含む。図１及び図２に示したように、導光体ＬＧは長方形のプレートであり得る。但し、導光体ＬＧの形状はこれに制限されない。
【００２４】
複数個の連結面ＣＳ１乃至ＣＳ４の中で何れか１つの連結面ＣＳ１は光源ＬＳに対向する。本実施形態で光源ＬＳに対向する何れか１つの連結面ＣＳ１は入光面として定義される。また、入光面ＣＳ１に対向する他の１つの連結面ＣＳ３は対光面として定義される。入光面ＣＳ１と対光面ＣＳ３は他の連結面ＣＳ２、ＣＳ４より短い長さを有し得る。
【００２５】
本実施形態で他の連結面ＣＳ２、ＣＳ４は各々第１側面ＣＳ２と第２側面ＣＳ４として定義される。第１側面ＣＳ２及び第２側面ＣＳ４は各々入光面ＣＳ１と対光面ＣＳ３を連結し、互いに対向する。本実施形態による導光体ＬＧは４つの連結面ＣＳ１乃至ＣＳ４を包含しているが、これは１つの例示に過ぎない。導光体ＬＧの形状によって連結面ＣＳ１乃至ＣＳ４の個数は変更することができる。
【００２６】
第１面ＵＳは入光面ＣＳ１へ入射された光が出射される面である。第２面ＤＳは導光体ＬＧの厚さ方向Ｄ３で第１面ＵＳに対向する面である。
【００２７】
図２に示したように、導光体ＬＧは平面上で第２方向Ｄ２に羅列された複数個の発光領域ＬＢ−Ｒ１乃至ＬＢ−Ｒ６に区分される。複数個の発光領域ＬＢ−Ｒ１乃至ＬＢ−Ｒ６は複数個の発光ブロックＬＢ１乃至ＬＢ６に対応するように区分される。
【００２８】
図１、図２、及び図３に示したように、第１面ＵＳは複数個のレンチキュラーパターン（ＬＣＰ：以下、第１レンチキュラーパターン）を含む。複数個の第１レンチキュラーパターンＬＣＰは第１方向Ｄ１に延長され、第１方向Ｄ１と交差する第２方向Ｄ２に配列される。複数個の第１レンチキュラーパターンＬＣＰの各々は曲面をなす。
【００２９】
また、第２面ＤＳは複数個の光ガイドパターンを含む。本実施形態では前記複数個の光ガイドパターンは、複数個のレンチキュラーパターン（ＬＧＰ、以下、第２レンチキュラーパターンという）である。複数個の第２レンチキュラーパターンＬＧＰは第１方向Ｄ１に延長され、第２方向Ｄ２に配列される。
【００３０】
図１、図２、及び図３に示したように、複数個の第１レンチキュラーパターンＬＣＰは連続的に配置され、複数個の第２レンチキュラーパターンＬＧＰは連続的に配置され得る。また、複数個の第１レンチキュラーパターンＬＣＰと複数個の第２レンチキュラーパターンＬＧＰの各々は導光体ＬＧの第１方向Ｄ１の長さと同一の長さを有する。
【００３１】
複数個の第１レンチキュラーパターンＬＣＰは同一の幅（Ｗ１、以下、第１幅）を有し得、複数個の第２レンチキュラーパターンＬＧＰは同一の幅（Ｗ２、以下第２幅）を有し得る。この時、第１幅Ｗ１と第２幅Ｗ２は互いに異なり得る。図３に示したように、第１幅Ｗ１は第２幅Ｗ２より大きくなり得る。
【００３２】
複数個の第１レンチキュラーパターンＬＣＰは同一の高さ（Ｈ１、以下、第１高さ）を有し得、複数個の第２レンチキュラーパターンＬＧＰは同一の高さ（Ｈ２、以下第２高さ）を有し得る。第１高さＨ１は複数個の第１レンチキュラーパターンＬＣＰのピークで測定され、第２高さＨ２は複数個の第２レンチキュラーパターンＬＧＰのピークで測定された。この時、第１高さＨ１と第２高さＨ２は互いに異なり得る。図２に示したように、第１高さＨ１は第２高さＨ２より大きくなり得る。
【００３３】
図４に示したように、複数個の第１レンチキュラーパターンＬＣＰ及び複数個の第２レンチキュラーパターンＬＧＰの断面の外殻線は各々、楕円の一部をなす。
【００３４】
前記、複数個の第１レンチキュラーパターンＬＣＰの断面の外殻線がなす楕円は前記、複数個の第２レンチキュラーパターンＬＧＰの断面の外殻線がなす楕円より大きい面積を有する。以下、複数個の第２レンチキュラーパターンＬＧＰの中で何れか１つの第２レンチキュラーパターンＬＧＰ１０を基準に説明する。
【００３５】
図４に示したように、第２レンチキュラーパターンＬＧＰ１０の断面上で本外殻線は長い半直径ＬＲと短い半直径ＳＲを有する楕円の一部をなす。前記楕円は２点鎖線で図示してある。
【００３６】
ここで、長い半直径ＬＲと短い半直径ＳＲの比率は２：１であり得る。また、断面上で第２レンチキュラーパターンＬＧＰ１０の外殻線の両端を連結する線Ｌ１と第２レンチキュラーパターンＬＧＰ１０の外殻線の一端とピークを連結する線Ｌ２がなす間角θ１０は４５°より小さいことが望ましい。
【００３７】
図５（Ａ）及び図５（Ｂ）は導光体へ入射された光の直進性を説明するための図面である。
【００３８】
図５（Ａ）に示したように、何れか１つの発光ブロックＬＢから導光体ＬＧ−Ｒ１の入光面ＣＳ１へ入射された光は対光面ＣＳ３に向かって進行する。入光面ＣＳ１へ入射された光は第１方向Ｄ１に進行する途中に第２方向Ｄ２に拡散される。第２方向Ｄ２に拡散された程度に従って第１方向Ｄ１に進行する光の直進性が決定される。
【００３９】
図５（Ｂ）には５つの発光ブロックＬＢ１乃至ＬＢ５に対応する５つの発光領域ＬＢ−Ｒ１乃至ＬＢ−Ｒ５に区分された導光体ＬＧ−Ｒ２を示した。複数個の発光ブロックＬＢ１乃至ＬＢ５の中でｎ番目発光ブロックから提供されて導光体ＬＧ−Ｒ２のｎ番目発光領域に進行する光の直進性は、ｎ番目発光領域で測定した光の輝度と、（ｎ−２）番目又は（ｎ＋２）番目発光領域で測定した光の輝度とを比較して算出される。
【００４０】
例えば、図５（Ｂ）に示したように、第３発光ブロックＬＢ３から導光体ＬＧへ提供された光の直進性は、第３発光領域ＬＢ−Ｒ３で測定した光の輝度と、第１発光領域ＬＢ−Ｒ１で測定した光の輝度とを比較して算出される。入光面ＣＳ１と第３発光領域ＬＢ−Ｒ３の光の輝度が測定される地点との間の距離は入光面ＣＳ１と第１発光領域ＬＢ−Ｒ１の光の輝度が測定される地点との間の距離と同一である。例えば、図５（Ｂ）の第１地点ＬＢ３−Ｐ１及び第３地点ＬＢ１−Ｐ１の各々と入光面ＣＳ１との間の距離は同一である。また、図５（Ｂ）の第２地点ＬＢ３−Ｐ２及び第４地点ＬＢ１−Ｐ２の各々と入光面ＣＳ１との間の距離は同一である。
【００４１】
図６（Ａ）及び図６（Ｂ）は各々、比較対象バックライトユニット及び本発明の一実施形態によるバックライトユニットへ入射された光の進行経路を示した図面である。図６（Ａ）及び図６（Ｂ）の各々は、複数個の発光ブロックＬＢ１乃至ＬＢ６の中で第４発光ブロックＬＢ４から発光された場合を示す。
ここで、比較対象バックライトユニットは第２レンチキュラーパターン（ＬＧＰ、図１参照）が形成されていない導光体を含む。即ち、前記比較対象バックライトユニットの導光体は平坦な第２面を有する。
【００４２】
図６（Ａ）及び図６（Ｂ）で示したように、本発明の一実施形態によるバックライトユニットＢＬＵは比較対象バックライトユニットより前記進行する光の拡散程度が小さくて直進性が大きい。これは、前記複数個の第２レンチキュラーパターン（ＬＧＰ、図１乃至図４を参照）が前記進行する光の拡散を防止するからである。
【００４３】
本発明の一実施形態によるバックライトユニットＢＬＵの導光体ＬＧに従えば、第４発光領域ＬＢ−Ｒ４を進行する光の中で一部の光が隣接する発光領域ＬＢ−Ｒ３、ＬＢ−Ｒ５に拡散されても第４発光領域ＬＢ−Ｒ４及び隣接する発光領域ＬＢ−Ｒ３、ＬＢ−Ｒ５に配置された複数個の第２レンチキュラーパターンＬＧＰによって前記拡散された光が反射される。
【００４４】
それによって隣接する発光領域ＬＢ−Ｒ３、ＬＢ−Ｒ５に拡散された光は第４発光領域ＬＢ−Ｒ４に再び集中される。
【００４５】
第４発光領域ＬＢ−Ｒ４を進行する光は第１面ＵＳへ出射される。第４発光領域ＬＢ−Ｒ４から前記出射される光の直進性は第４発光領域ＬＢ−Ｒ４を進行する光の直進性に従う。それ故、バックライトユニットＢＬＵは隣接する発光領域に影響を及ぼすことなく、目的とする発光領域のみへ光を出射させ得る。
【００４６】
図７は比較対象バックライトユニットと、本発明の一実施形態によるバックライトユニットと、へ入射された光の直進性を比較して示したグラフである。図７で横（Ｘ）軸は、入光面ＣＳ１と対光面ＣＳ３に対する前記光の輝度が測定された地点の相対的距離を示す。縦（Ｙ）軸は（ｎ−２）番目又は（ｎ＋２）番目の発光領域で測定した光の輝度をｎ番目の発光領域で測定した光の輝度で割り算した値、即ち、横漏れ光の相対輝度を示す。
【００４７】
第１グラフＧＲ１は前記比較対象バックライトユニットにおける相対輝度を、第２グラフＧＲ２は本実施形態によるバックライトユニットにおける相対輝度を示す。Ｘ軸の第１地点Ｐ１は入光面ＣＳ１を示し、第２地点Ｐ２は対光面ＣＳ３を示す。
【００４８】
例えば、第３地点Ｐ３は入光面ＣＳ１と対光面ＣＳ３との間の距離比が６：１である地点であり、第４地点Ｐ４は入光面ＣＳ１と対光面ＣＳ３の間の距離比が９：１である地点である。第３地点Ｐ３で前記比較対象バックライトユニットにおける相対輝度は０．２５５であり、本発明の一実施形態によるバックライトユニットＢＬＵにおける相対輝度は０．１３７である。第４地点Ｐ４で前記比較対象バックライトユニットにおける相対輝度は０．２６８であり、本発明の一実施形態によるバックライトユニットＢＬＵにおける相対輝度は０．１４３である。
【００４９】
図８乃至図１２は本発明の一実施形態によるバックライトユニットの一部分を示した図面である。図８乃至図１２は導光体ＬＧ１０乃至ＬＧ１４の第２方向Ｄ２に従う断面を示している。
【００５０】
図８及び図９に示したように、導光体ＬＧ１０、ＬＧ１１は各々、凹型（陰刻）、凸型（浮き彫り）出光パターンＬＯＰ１、ＬＯＰ２を含む。対光面ＣＳ３に向かって進行する前記入射された光が出光パターンＬＯＰ１、ＬＯＰ２に至れば、対光面ＣＳ３に進行する光の進行経路が変更される。出光パターンＬＯＰ１、ＬＯＰ２に至る光は第１面ＵＳへ出射される。出光パターンＬＯＰ１、ＬＯＰ２は不規則に配列される。一方他の実施形態では、出光パターンＬＯＰ１、ＬＯＰ２は複数個の第２レンチキュラーパターンＬＧＰに沿って第１方向Ｄ１に規則的に配列され得る。
【００５１】
図８に示したように、導光体ＬＧ１０は陰刻の出光パターンＬＯＰ１を包含する。また、図９に示したように導光体ＬＧ１１は陽刻の出光パターンＬＯＰ２を包含することができる。
【００５２】
図１０に示したように、導光体ＬＧ１２の複数個の第２レンチキュラーパターンＬＧＰは第２方向Ｄ２に互いに離隔されて配置され得る。複数個の第２レンチキュラーパターンＬＧＰの中で隣接する第２レンチキュラーパターンＬＧＰの間には平面部ＰＰが配置される。即ち、第２面ＤＳは複数個の第２レンチキュラーパターンＬＧＰと平面部ＰＰを含む。図示しないが、出光パターンＬＯＰ１、ＬＯＰ２は平面部ＰＰに配置され得る。
【００５３】
図１１及び図１２に示したように、導光体ＬＧ１３、ＬＧ１４は形状が異なる複数グループのレンチキュラーパターンを包含する。図１１に示したように、導光体ＬＧ１３は幅が異なるレンチキュラーパターンのグループを含む。複数個の第２レンチキュラーパターンＬＧＰの中で一部の第２レンチキュラーパターンＬＧＰ１の幅Ｗ１０とその他の一部の第２レンチキュラーパターンＬＧＰ２の幅Ｗ２０は互いに異なる。
【００５４】
また、図１２に示したように、導光体ＬＧ１４は高さが異なるレンチキュラーパターンのグループを含む。複数個の第２レンチキュラーパターンＬＧＰの中で一部の第２レンチキュラーパターンＬＧＰ１０の高さＨ１０とその他の一部の第２レンチキュラーパターンＬＧＰ２０の高さＨ２０は互いに異なる。
【００５５】
図１３は本発明の一実施形態による導光体を製造する製造装置の斜視図である。図１３に示した製造装置は圧出方式によって導光体を製造する。前記製造装置は樹脂物質供給部１０と４つのローラーは２１乃至２４を含む。前記ローラーは２１乃至２４の個数は変更することができる。
【００５６】
樹脂物質供給部１０はポリメチルメタクリレートＰＭＭＡのような樹脂物質を貯蔵する。また、樹脂物質供給部１０は前記樹脂物質を圧出して第１ローラー２１と第２ローラー２２との間へフィルム形態の導光体（ＬＧＦ、以下、導光フィルム）を提供する。樹脂物質供給部１０に含まれた熱源（図示せず）から熱が加えられた導光フィルムＬＧＦは高温である。ここで、高温というのは樹脂物質で構成された導光フィルムが分解されない温度であり、且つ、外部の圧力によって形状が変更できる程度の温度を意味する。
【００５７】
樹脂物質供給部１０から提供された導光フィルムＬＧＦが４つのローラー２１乃至２４を通過する過程で前記複数個の第１レンチキュラーパターン（ＬＣＰ、図３参照）及び前記複数個の第２レンチキュラーパターン（ＬＧＰ、図３参照）が形成される。高温の導光フィルムＬＧＦは最初に、第１ローラー２１と第２ローラー２２との間に進入する。第２ローラー２２は外周面に具備された複数個の第１溝部ＧＰ１を含む。複数個の第１溝部ＧＰ１によって導光フィルムＬＧＦの一面の形状が変わる。即ち、平坦な導光フィルムＬＧＦの一面上に前記複数個の第１レンチキュラーパターン（ＬＣＰ、図３参照）が形成される。
【００５８】
第１ローラー２１と第２ローラー２２の間から排出された高温の導光フィルムＬＧＦは次に第２ローラー２２と第３ローラー２３との間に進入する。第３ローラー２３は外周面に具備された複数個の第２溝部ＧＰ２を含む。複数個の第２溝部ＧＰ２によって導光フィルムＬＧＦの他面の形状が変わる。即ち、平坦な導光フィルムＬＧＦの他面上に前記複数個の第２レンチキュラーパターン（ＬＧＰ、図３参照）が形成される。この時、複数個の第２溝部ＧＰ２は前記凸型（陽刻、浮き彫り）又は凹型（陰刻）の出光パターン（ＬＯＰ１（図８参照）、又はＬＯＰ２（図９参照））を形成するための凹パターン又は凸パターンをさらに備え得る。また、第２ローラー２２２と第３ローラー２３の位置は交換できる。
【００５９】
一方、図１３に示した製造装置を使用しなくても、本発明の一実施形態による導光体を形成できる。例えば、複数個の第１レンチキュラーパターンＬＣＰと複数個の第２レンチキュラーパターンＬＧＰは導光フィルムＬＧＦの両面に各々印刷され得る。前記印刷方法はマスク印刷法、インプリンティング法等がある適用される。また、陰刻の出光パターン（ＬＯＰ１、図８参照）はレーザー照射方式によって形成され得る。
【００６０】
図１４は本発明の一実施形態による表示装置の分解斜視図である。
図１４に示したように、表示装置は上部保護部材１１０、下部保護部材１２０、表示パネル１３０、及びバックライトユニットＢＬＵを含む。
【００６１】
上部保護部材１１０と下部保護部材１２０は表示装置の外面を構成する。上部保護部材１１０と下部保護部材１２０は互いに結合され、他の構成部材を内部に収容する。
【００６２】
上部保護部材１１０は表示パネル１３０の上側に配置される。上部保護部材１１０は表示パネル１３０の一部を露出させる開口部１１０−ＯＰを具備する。上部保護部材１１０は表示パネル１３０の非表示領域をカバーする。
【００６３】
下部保護部材１２０はバックライトユニットＢＬＵの下側に配置される。下部保護部材１２０は底部１２２及び底部１２２から上側に折曲された側壁部１２４を包含する。底部１２２と側壁部１２４からなされた空間にバックライトユニットＢＬＵが収納される。
【００６４】
表示パネル１３０は映像を表示する。表示パネル１３０は透過型又は半透過形表示パネルである。例えば、表示パネル１３０は液晶表示パネル（ｌｉｑｕｉｄ  ｃｒｙｓｔａｌ  ｄｉｓｐｌａｙ  ｐａｎｅｌ）又は電氣泳動表示パネル（ｅｌｅｃｔｒｏｐｈｏｒｅｔｉｃ  ｄｉｓｐｌａｙ  ｐａｎｅｌ）等であり得る。本実施形態では第１基板１３２と第２基板１３４を含む液晶表示パネルを一例として説明する。第１基板１３２と第２基板１３４との間には液晶層（図示せず）が配置される。
【００６５】
表示パネル１３０は複数個の画素を含む。前記複数個の画素は複数個の画素行をなす。表示パネル１３０は前記複数個の画素へ駆動信号を提供する駆動チップ（図示せず）をさらに含む。前記駆動チップはタイミングコントローラ、データドライバー、及びゲートドライバー等を含む。
【００６６】
バックライトユニットＢＬＵは複数個の発光ブロックＬＢ１乃至ＬＢ６を含む光源ＬＳ、及び光源ＬＳから受信された光を表示パネル１３０の方向にガイドする導光体ＬＧを含む。バックライトユニットＢＬＵは図１乃至図１３を参照して説明した導光体を包含する。
【００６７】
前記表示装置は表示パネル１３０を支持する支持部材１４０をさらに包含する。支持部材１４０は表示パネル１３０の前記非表示領域に重畳する長方形のシャーシー部材であり得る。支持部材１４０は内側に位置する開口部を含む。支持部材１４０は表示パネル１３０の下側で表示パネル１３０を支持する。
【００６８】
前記表示装置は表示パネル１３０へ提供される光の効率を高くするために光学シート１５０及び反射シート１６０をさらに包含する。
光学シート１５０は導光体ＬＧと表示パネル１３０との間に配置される。光学シート１５０は導光体ＬＧ上に順次的に積層されたプリズムシート１５４及び保護シート１５２を包含する。
【００６９】
プリズムシート１５４は導光体ＬＧの第１面ＵＳから出射された光を上側の表示パネル１３０の平面と垂直になる方向に集光する役割を遂行する。プリズムシート１５４を通過した光は大部分表示パネル１３０と垂直へ入射される。保護シート１５２はプリズムシート１５４の上側に位置する。保護シート１５２はプリズムシート１５４を外部の衝撃から保護する。
【００７０】
一方、図示しないが、光学シート１５０は導光体ＬＧの第１面ＵＳから出射された光を拡散させる拡散シートをさらに包含できる。一例として、前記拡散シートは導光体ＬＧとプリズムシート１５４との間に配置される。
【００７１】
反射シート１６０は導光体ＬＧの下側に具備される。反射シート１６０は導光体ＬＧの第２面ＤＳ等から漏洩する光を反射して導光体ＬＧへ再入射させる。
【００７２】
図１５は本発明の一実施形態による表示装置のブロック図である。図１６は本発明の一実施形態による表示装置で表示される左眼映像を示した図面である。図１７は左眼映像が表示される時、表示装置の動作を示すタイミング図である。
【００７３】
前記表示装置は２次元モードで平面映像を表示し、３次元モードで左眼映像と右眼映像を交互に表示する。前記交互に表示された左眼映像と右眼映像との組合わせは使用者に立体映像として認識される。
【００７４】
表示パネル１３０は複数個の表示領域ＤＰ１乃至ＤＰ６に区分される。複数個の表示領域ＤＰ１乃至ＤＰ６は導光体ＬＧの複数個の発光領域ＬＢ−Ｒ１乃至ＬＢ−Ｒ６に対応するように区分される。
【００７５】
複数個の表示領域ＤＰ１乃至ＤＰ６の各々は表示パネル１３０に含まれた全体の画素行の中の一部の画素行を含む。前記全体の画素行が全てスキャンされれば、１つのフレームに該当する映像が生成される。
【００７６】
表示パネル１３０はタイミングコントローラＴＣＣ、ゲートドライバーＧＤＣ、及びデータドライバーＤＤＣによって駆動される。また、光源ＬＳは光源制御部ＬＧＣによって制御される。
【００７７】
タイミングコントローラＴＣＣは映像信号ＤＡＴＡを受信する。映像信号ＤＡＴＡは２次元映像信号又は３次元映像信号の何れかである。表示パネル１３０が前記２次元モードで動作する時、タイミングコントローラＴＣＣは第１制御信号ＣＯＮ１を受信し、表示パネル１３０が前記３次元モードに動作する時、第２制御信号ＣＯＮ２を受信する。例えば、第１及び第２制御信号ＣＯＮ１、ＣＯＮ２の各々には水平同期信号、垂直同期信号、メーンクロック信号及びデータイネーブル信号等が包含される。
【００７８】
タイミングコントローラＴＣＣはデータドライバーＤＤＣとのインターフェイス仕様に合うように映像信号ＤＡＴＡのデータフォーマットを変換し、変換された映像信号ＤＡＴＡ’をデータドライバーＤＤＣへ提供する。また、タイミングコントローラＴＣＣはデータ制御信号ＤＣＯＮ（例えば、出力開始信号、水平開始信号）、水平クロック信号、及び極性反転信号等）をデータドライバーＤＤＣへ提供し、ゲート制御信号ＧＣＯＮ（例えば、垂直開始信号、垂直クロック信号、及び垂直クロックバー信号等）をゲートドライバーＧＤＣへ提供する。
【００７９】
ゲートドライバーＧＤＣは複数個の選択用ゲート電圧を前記複数個の画素行へ順次的に提供する。データドライバーＤＤＣはデータ制御信号ＤＣＯＮに応答して変換された映像信号ＤＡＴＡ’に対応されるデータ電圧を出力する。前記選択用ゲート電圧が提供された画素行の各々の画素は前記データ電圧を受信する。
【００８０】
光源制御部ＬＧＣは光源ＬＳを制御する。光源制御部ＬＧＣは表示パネル１３０に同期して動作する。光源制御部ＬＧＣは２次元モード同期信号２Ｄ−Ｓｙｎｃ及び３次元モード同期信号３Ｄ−Ｓｙｎｃの何れかを受信する。
【００８１】
光源制御部ＬＧＣは２次元モード同期信号２Ｄ−Ｓｙｎｃに応答して複数個の発光ブロックＬＢ１乃至ＬＢ６を同時にターンオン、又はターンオフする。光源制御部ＬＧＣは３次元モード同期信号３Ｄ−Ｓｙｎｃに応答して複数個の発光ブロックＬＢ１乃至ＬＢ６をスイッチングする。例えば、光源制御部ＬＧＣは複数個の発光ブロックＬＢ１乃至ＬＢ６を順次的にターンオンし、順次的にターンオフする。本発明の一実施形態で、２次元モード同期信号２Ｄ−Ｓｙｎｃは第１制御信号ＣＯＮ１に含まれた信号の中の１つであり、３次元モード同期信号３Ｄ−Ｓｙｎｃは第２制御信号ＣＯＮ２に含まれた信号の中の１つであり得る。
【００８２】
シャッター眼鏡ＳＧは左眼シャッターＬＳＧと右眼シャッターＲＳＧを含む。シャッター眼鏡ＳＧは表示パネル１３０が前記３次元モードに動作する時、表示パネル１３０に同期されて動作される。
【００８３】
シャッター眼鏡ＳＧはタイミングコントローラＴＣＣから３次元モード同期信号３Ｄ−Ｓｙｎｃを受信する。シャッター眼鏡ＳＧは３次元モード同期信号３Ｄ−Ｓｙｎｃに応答して左眼シャッターＬＳＧと右眼シャッターＲＳＧをオープン又はクローズする。
【００８４】
図１６に示したように、何れか１つ（第ｎ番目）のフレーム区間Ｆｎで表示される左眼映像は複数個の部分左眼映像Ｌｉ１乃至Ｌｉ６の合計からなされる。例えば、前記左眼映像は６つの部分左眼映像Ｌｉ１乃至Ｌｉ６の合計からなされ得る。
【００８５】
何れか１つのフレーム区間Ｆｎの中で第１時点Ｆ／６で、第１発光領域ＬＢ−Ｒ１から第１表示領域ＤＰ１へ光が提供されれば、第１部分左眼映像Ｌｉ１が生成される。以後、第２部分左眼映像Ｌｉ２乃至第６部分左眼映像Ｌｉ６が第２表示領域ＤＰ２乃至第６表示領域ＤＰ６で順次的に生成される。第２時点２Ｆ／６で第２表示領域ＤＰ２から第２部分左眼映像Ｌｉ２が表示される時、第１部分左眼映像Ｌｉ１は表示されない。
【００８６】
使用者は左眼シャッターＬＳＧを通過した第１部分左眼映像Ｌｉ１乃至第６部分左眼映像Ｌｉ６の組合に従う左眼映像を認知する。何れか１つのフレーム区間Ｆｎに連続する以後のフレーム区間の間に、上述した方法と同一の方法で右眼映像が生成される。使用者は前記以後のフレーム区間に右眼シャッターＲＳＧを通過した前記右眼映像を認知する。
【００８７】
図１７に示したように、複数個の発光ブロックＬＢ１乃至ＬＢ６が各々のフレーム区間Ｆ（ｎ−２）乃至Ｆ（ｎ＋２）の間に順次的にターンオンされ、ターンオフされる。複数個の発光ブロックの中でｉ（ここで、ｉは２以上の整数）番目の発光ブロックＬＢｉは（ｉ−１）番目の発光ブロックＬＢ（ｉ−１）がターンオフされる時、ターンオンされる。図１７に示したように、第１発光ブロックＬＢ１へ印加される第１スイッチング信号ＬＢ１−Ｓの下降エッジで第２発光ブロックＬＢ２へ印加される第２スイッチング信号ＬＢ２−Ｓの上乗エッジが発生する。
【００８８】
図１５及び図１６を再び参照すれば、第１時点Ｆ／６で第１部分左眼映像Ｌｉ１が生成される時、第１発光ブロックＬＢ１から提供された光が第１発光領域ＬＢ−Ｒ１の以外の領域に拡散されれば、右眼映像Ｒｉの一部が生成され得る。それによって、使用者は左眼シャッターＬＳＧを通じて右眼映像Ｒｉを部分的に認知するようになる。使用者は第１表示領域ＤＰ１に隣接する第２表示領域ＤＰ２から表示された部分的な右眼映像Ｒｉ、即ち意図しなかった右眼映像Ｒｉを認知するようになる（クロストーク現象）。
【００８９】
本発明の一実施形態による表示装置は提供する光の直進性が高いバックライトユニットＢＬＵを包含するので、上述したクロストーク現象を防止できる。本発明の一実施形態による導光体は入射された光の直進性が一般的な導光体より高いので、上述したような意図しなかった右眼映像Ｒｉが生成されない。即ち、第１発光ブロックＢＬ１から第１発光領域ＬＢ−Ｒ１へ提供された光は第２発光領域ＬＢ−Ｒ２に拡散されないので、部分的な右眼映像Ｒｉが生成されない。
【００９０】
図１８は本発明の一実施形態によるバックライトユニットの斜視図である。図１９は図１８に示したバックライトユニットの一部分を示した図面であり、図２０は図１８の一部を拡大して示した図面である。図１乃至図１３を参照して説明したバックライトユニットの構成と同一である構成に対する詳細な説明は省略する。
【００９１】
図１８に示したように、バックライトユニットＢＬＵ１０は複数個の発光ブロックＬＢ１乃至ＬＢ６を含む光源ＬＳ及び光源ＬＳから受信された光をガイドする導光体ＬＧ２０を含む。
【００９２】
導光体ＬＧ２０は第１面ＵＳ、第２面ＤＳ、及び第１面ＵＳと第２面ＤＳを連結する複数個の連結面ＣＳ１乃至ＣＳ４を含む。複数個の連結面ＣＳ１乃至ＣＳ４は入光面ＣＳ１と対光面ＣＳ３を含む。
【００９３】
第１面ＵＳは入光面ＣＳ１へ入射された光が出射される面である。第２面ＤＳは導光体ＬＧ２０の厚さ方向で第１面ＵＳに対向する面である。
【００９４】
図１８に示したように、第１面ＵＳは複数個のレンチキュラーパターンＬＣＰを含む。複数個のレンチキュラーパターンＬＣＰは第１方向Ｄ１に延長され、第１方向Ｄ１と交差する第２方向Ｄ２に配列される。複数個のレンチキュラーパターンＬＣＰの各々は曲面をなす。
【００９５】
また、第２面ＤＳは複数個の光ガイドパターンを含む。本実施形態では前記複数個の光ガイドパターンは第２面ＤＳの一部分が除去されて形成された複数個の光ガイドパターンＬＧＰ１００である。複数個の光ガイドパターンＬＧＰ１００は第１方向Ｄ１に延長され、第２方向Ｄ２に配列される。
【００９６】
図１９及び図２０に示したように、複数個の光ガイドパターンＬＧＰ１００の各々はプリズム形状である。複数個の光ガイドパターンＬＧＰ１００は同一の深さＱ１を有する。深さＱ１はプリズム形状の複数個の光ガイドパターンＬＧＰ１００の各々のピークで測定される。断面上でプリズム形状の複数個の光ガイドパターンＬＧＰ１００の頂角θ２０は８０°乃至１４５°である。
【００９７】
プリズム形状の複数個の光ガイドパターンＬＧＰ１００は前記複数個の第２レンチキュラーパターン（ＬＧＰ、図１参照）と同一の機能を有する。導光体ＬＧ２０の何れかの発光領域を進行する光が前記何れかの発光領域に隣接する発光領域に拡散される時、複数個の光ガイドパターンＬＧＰ１００は前記拡散された光を前記何れかの１つの発光領域に再び集中する。
【００９８】
一方、他の実施形態では、プリズム形状の複数個の光ガイドパターンＬＧＰ１００は前記深さＱが互いに異なる複数グループの光ガイドパターンを包含する。その他の実施形態では、プリズム形状の複数個の光ガイドパターンＬＧＰ１００は前記頂角が互いに異なる複数グループの光ガイドパターンを包含する。
【００９９】
複数個の光ガイドパターンＬＧＰ１００は第２方向Ｄ２に互いに離隔されて配置される。この時、複数個の光ガイドパターンＬＧＰ１００の中で２つの光ガイドパターンＬＧＰ１００の間には平面部ＰＰ１０が配置される。即ち、第２面ＤＳは複数個の光ガイドパターンＬＧＰ１００と平面部ＰＰ１０を含む。
【０１００】
出光パターンＬＯＰ１０は平面部ＰＰ１０に配置される。図２０に示したように、平面部ＰＰ１０上に陰刻の出光パターンＬＯＰ１０が配置され得る。陰刻の出光パターンＬＯＰ１０は５０μｍ以下の深さを有することが望ましい。
【０１０１】
図２１（Ａ）は比較対象バックライトユニットの光度を測定した図面であり、図２１（Ｂ）は本発明の一実施形態によるバックライトユニットの光度を測定した図面である。光度は導光体の第１面（ＵＳ）上で測定された。
【０１０２】
図２１（Ａ）の光度を有するバックライトユニットは導光体の第１面に配置された複数個のレンチキュラーパターンを含み、平坦な第２面を有する。即ち、比較対象バックライトユニットはプリズム形状の光ガイドパターンを包含しない。
【０１０３】
図２２は比較対象バックライトユニットの光度と本発明の一実施形態によるバックライトユニットの光度を比較したグラフである。図２２の横（Ｘ）軸は前記導光体と光度測定装置がなす角度を示し、縦（Ｙ）軸は光度の相対的な強さを示す。
【０１０４】
図２２で第１グラフＧＲ１０は比較対象バックライトユニットの光度を、第２グラフＧＲ２０は本実施形態によるバックライトユニットの光度を示す。図２２に比較されたように、本実施形態によるバックライトユニットの光度は比較対象バックライトユニットの光度に比べて全体的に約１０％以上増加する。
【０１０５】
図２３（Ａ）は比較対象バックライトユニットの導光体へ入射された光の進行経路を示し、図２３（Ｂ）は本発明の一実施形態によるバックライトユニットの導光体へ入射された光の進行経路を示す。図２４は比較対象バックライトユニットと本発明の一実施形態によるバックライトユニットへ入射された光の直進性を比較して示したグラフである。図２４の横（Ｘ）軸は前記導光体の第２方向Ｄ２に従う距離を示し、Ｙ軸は輝度の相対的な強さを示す。
【０１０６】
図２４で第１グラフＧＲ１００は比較対象バックライトユニットの輝度を、第２グラフＧＲ２００は本実施形態によるバックライトユニットの輝度を示す。第１グラフＧＲ１００と第２グラフＧＲ２００は正規分布と類似の形状である。第１グラフＧＲ１００と第２グラフＧＲ２００は導光体の中心から第２方向Ｄ２に従って導光体の外側へ行くほど、輝度が減少することを示す。
【０１０７】
図２４に比較されたように、第２グラフＧＲ２００の幅は第１グラフＧＲ１００の幅より狭い。本実施形態に他のバックライトユニットは比較対象バックライトユニットより前記導光体へ進入した光の直進性が向上されるためである。
【０１０８】
一方、特に図示しないが、図１８乃至図２４を参照して説明した本実施形態によるバックライトユニットは、図１４に示した表示装置に含まれるバックライトユニットを代替できる。本実施形態によるバックライトユニットの制御方法とこれを含む表示装置の駆動方法は図１４乃至図１７を参照して説明した方法と同一であるので、その詳細な説明は省略する。
【０１０９】
以上、実施形態を参照して本発明を説明したが、当該技術分野に熟練した当業者は、下記の特許請求の範囲に記載された本発明の思想及び領域から逸脱しない範囲内で本発明を多様に修正及び変更し得ることを理解できるであろう。
【符号の説明】
【０１１０】
ＢＬＵ      バックライトユニット
ＣＳ１      連結面、入光面
ＣＳ２      連結面、第１側面
ＣＳ３      連結面、対光面
ＣＳ４      連結面、第２側面
Ｄ１、Ｄ２、Ｄ３      第１、第２、第３方向
ＤＰ１，ＤＰ２、ＤＰ３、ＤＰ４、ＤＰ５、ＤＰ６      第１〜第６表示領域
ＤＳ      第２面
ＧＰ１、ＧＰ２      第１、第２溝部
ＧＲ１、ＧＲ１０、ＧＲ１００      第１グラフ
ＧＲ２、ＧＲ２０、ＧＲ２００      第２グラフ
Ｈ１、Ｈ２      第１、第２高さ
Ｈ１０、Ｈ２０      高さ
ＬＢ１、ＬＢ２、ＬＢ３、ＬＢ４、ＬＢ５、ＬＢ６      第１〜第６発光ブロック
ＬＢ１−Ｓ、ＬＢ２−Ｓ、ＬＢ３−Ｓ、ＬＢ４−Ｓ、ＬＢ５−Ｓ、ＬＢ６−Ｓ      第１〜第６スイッチング信号
ＬＢ−Ｒ１、ＬＢ−Ｒ２、ＬＢ−Ｒ３、ＬＢ−Ｒ４、ＬＢ−Ｒ５、ＬＢ−Ｒ６      第１〜第６発光領域
ＬＣＰ      第１レンチキュラーパターン
ＬＧ、ＬＧ−Ｒ１、ＬＧ−Ｒ２、ＬＧ１０、ＬＧ１１、ＬＧ１２、ＬＧ１３、ＬＧ１４、ＬＧ２０      導光体
ＬＧＦ      導光フィルム
ＬＧＰ、ＬＧＰ１、ＬＧＰ２、ＬＧＰ１０、ＬＧＰ２０      第２レンチキュラーパターン
ＬＧＰ１００      （第２面ＤＳの一部分が除去されて形成された）光ガイドパターン
ＬＯＰ１、ＬＯＰ２      凹型、凸型出光パターン
ＬＲ      長い半直径
ＬＳ      光源
ＬＳＧ      左眼シャッター
ＰＰ      平面部
Ｑ      深さ
ＲＳＧ      右眼シャッター
ＳＧ      シャッター眼鏡
ＳＲ      短い半直径
ＵＳ      第１面
Ｗ１、Ｗ２      第１、第２幅
Ｗ１０、Ｗ２０      幅
１０      樹脂物質供給部
２１、２２，２３、２４      第１、第２、第３、第４ローラー
１１０      上部保護部材
１１０−ＯＰ      開口部
１２０      下部保護部材
１２２      底部
１２４      側壁部
１３０      表示パネル
１３２、１３４      第１、第２基板
１４０      支持部材
１５０      光学シート
１５２      保護シート
１５４      プリズムシート
１６０      反射シート
【図１】
2014063722.tif 000003
【図２】
2014063722.tif 000004
【図３】
2014063722.tif 000005
【図４】
2014063722.tif 000006
【図５】
2014063722.tif 000007
【図６】
2014063722.tif 000008
【図７】
2014063722.tif 000009
【図８】
2014063722.tif 000010
【図９】
2014063722.tif 000011
【図１０】
2014063722.tif 000012
【図１１】
2014063722.tif 000013
【図１２】
2014063722.tif 000014
【図１３】
2014063722.tif 000015
【図１４】
2014063722.tif 000016
【図１５】
2014063722.tif 000017
【図１６】
2014063722.tif 000018
【図１７】
2014063722.tif 000019
【図１８】
2014063722.tif 000020
【図１９】
2014063722.tif 000021
【図２０】
2014063722.tif 000022
【図２１】
2014063722.tif 000023
【図２２】
2014063722.tif 000024
【図２３】
2014063722.tif 000025
【図２４】
2014063722.tif 000026